(57)【要約】  【課題】嵌合状態においてクリアランスが生じるように設定した雄刃と雌刃を備えたものであっても的確且つスムーズに穿孔することができる穿孔具を提供する。  【解決手段】雄刃９と雌刃６とが遊嵌する穿孔具１であって、雄刃９に、この雄刃９に対し紙葉類が位置ずれすることを防止する第１位置ずれ防止部として機能する突起部９２を設けるととともに、雌刃６に、この雌刃６に対して紙葉類が位置ずれすることを防止する第２位置ずれ防止部として機能する刃部６２を設けた。【選択図】図３
2006326698.tif 000002
【特許請求の範囲】
【請求項１】
少なくとも雄刃と、当該雄刃が嵌合可能な雌刃とを具備してなり、前記雄刃と前記雌刃との間に紙等の紙葉類を挟んだ状態で前記雄刃と前記雌刃とをクリアランスをもって嵌合させることにより前記紙葉類に穿孔する穿孔具であって、
前記雄刃に、当該雄刃に対して前記紙葉類が位置ずれすることを防止する第１位置ずれ防止部を設けるととともに、前記雌刃に、当該雌刃に対して前記紙葉類が位置ずれすることを防止する第２位置ずれ防止部を設けていることを特徴とする穿孔具。
【請求項２】
前記第１位置ずれ防止部が、前記雄刃本体の先端部に設けられ且つ前記紙葉類に刺さり得る突起部である請求項１記載の穿孔具。
【請求項３】
前記第２位置ずれ防止部が、前記雌刃本体の内周縁部にその周方向に沿って形成した概略鋸歯状の刃部である請求項１又は２記載の穿孔具。
【請求項４】
前記刃部が、前記雄刃に向かって立ち上がっている請求項３記載の穿孔具。
【発明の詳細な説明】
【技術分野】
【０００１】
本発明は、紙等の紙葉類に穿孔可能な穿孔具に関するものである。
【背景技術】
【０００２】
従来より、雄刃とこの雄刃が嵌合可能な内周径を有する雌刃とを備え、雄刃と雌刃との間に用紙を挟んだ状態で雄刃を雌刃に嵌合することにより用紙に穿孔具が各種考えられている。通常、このような穿孔具は、雄刃と雌刃とが略隙間なく嵌合するように雄刃の外周径及び雌刃の内周径それぞれの寸法が設定されており、これにより用紙に対する穿孔を的確に行えるようにしている（例えば非特許文献１参照）。また、雄刃が損傷した場合等に柔軟に対応できるように、雄刃を適宜取替可能に構成した穿孔具も考えられている。
【非特許文献１】「コクヨオフィスサプライズ編２００５度版」、コクヨＳ＆Ｔ株式会社等、２００４年１２月発行、Ｐ．４４２に示されている各種穿孔具
【発明の開示】
【発明が解決しようとする課題】
【０００３】
しかしながら、雄刃と雌刃とを略緊密に嵌合させる態様を採用している場合、雄刃を交換した際に、雄刃の取付位置が当初の取付位置と少しでもずれれば、当該雄刃を雌刃に嵌入させることができず、穿孔作業を行うことができないという不具合が発生する。そこで、嵌合状態において雄刃と雌刃との間にクリアランスが生じるように雌刃の内周径を雄刃の外周径より大きく設定し、このクリアランスによって雄刃の取付位置の位置ずれを吸収し得るように構成する態様も考えられる。しかしながら、このような態様であれば、穿孔時に雄刃と雌刃とが相互に緩く嵌合するために、雄刃が用紙を押圧した場合に、用紙が、雄刃又は雌刃の何れか一方或いは両方に対して位置ずれし易く、その結果、穿孔くずの一部が用紙から切り離されずに用紙に残るという不具合や、穿孔位置がずれるという不具合が生じ、的確且つスムーズに穿孔することができないという問題がある。
【０００４】
本発明は、このような課題に着目してなされたものであって、主たる目的は、嵌合状態においてクリアランスが生じるように設定した雄刃と雌刃を備えたものであっても的確且つスムーズに穿孔することができる穿孔具を提供することにある。
【課題を解決するための手段】
【０００５】
すなわち、本発明の穿孔具は、少なくとも雄刃と、当該雄刃が嵌合可能な雌刃とを具備してなり、前記雄刃と前記雌刃との間に紙等の紙葉類を挟んだ状態で前記雄刃と前記雌刃とをクリアランスをもって嵌合させることにより前記紙葉類に穿孔する穿孔具であって、前記雄刃に、この雄刃に対して前記紙葉類が位置ずれすることを防止する第１位置ずれ防止部を設けるととともに、前記雌刃に、この雌刃に対して前記紙葉類が位置ずれすることを防止する第２位置ずれ防止部を設けていることを特徴とする。
【０００６】
このようなものであれば、嵌合状態において雄刃と雌刃との間に若干のクリアランスが生じる、すなわち雄刃と雌刃とが遊嵌するように設定したものであっても、紙葉類が、第１位置ずれ防止部及び第２位置ずれ防止部により雄刃及び雌刃に対して位置ずれしないため、穿孔作業によって用紙に形成される綴じ孔の周縁部等の用紙の一部がクリアランスに不意に入り込むことを規制し、その結果、穿孔くずの一部が用紙から切り離されずに用紙に残るという不具合や、穿孔位置がずれるという不具合が生じることなく、的確且つスムーズに穿孔することができる。また、雄刃を取替可能に構成した場合であっても、雄刃の取付位置のずれをクリアランスにより吸収することができ、実用性に優れたものとなる。
【０００７】
前記第１位置ずれ防止部の具体的な実施態様としては、前記雄刃本体の先端部に設けられ且つ前記紙葉類に刺さり得る突起部が挙げられる。
【０００８】
他方、前記第２位置ずれ防止の具体的な実施態様としては、前記雌刃本体の内周縁部にその周方向に沿って形成した概略鋸歯状の刃部が挙げられる。この場合、前記刃部が、前記雄刃に向かって立ち上がっているものであれば、刃部が雌刃本体よりも優先して紙葉類に当接して刺さるため、より確実に紙葉類が雌刃に対して位置ずれすることを防止することができる。
【発明の効果】
【０００９】
以上説明したように本発明によれば、雄刃を雌刃に嵌入した状態において雄刃と雌刃との間にクリアランスが生じるように設定したものであっても、紙葉類が、第１位置ずれ防止部及び第２位置ずれ防止部により雄刃及び雌刃に対して位置ずれしないため、穿孔時に用紙の一部（穿孔作業によって用紙に形成される綴じ孔の周縁部）がクリアランスに嵌り込むことなく、的確且つスムーズに穿孔することができる。また、雄刃を取替可能に構成した場合であっても、雄刃の取付位置のずれをクリアランスにより吸収することができ、実用性に優れたものとなる。
【発明を実施するための最良の形態】
【００１０】
以下、本発明の一実施形態を、図面を参照して説明する。
【００１１】
本実施形態に係る穿孔具１は、雄刃９と、この雄刃９が嵌合可能な雌刃６とを具備してなり、雄刃９と雌刃６との間に紙葉類たる用紙Ｐを挟んだ状態で雄刃９と雌刃６とを嵌合させることにより用紙Ｐに穿孔するものであり、具体的には、図１に示すように、雌刃６を備えたベース２と、使用者が穿孔する際に所定の操作力を直接付与する操作部３と、ベース２と操作部３との間に介在し操作部３を支持する支持部４と、雄刃９を着脱可能に保持し且つ操作部３に所定の操作力が付与された場合に支持部４に対してスライド動作し得る可動部５とを具備したものである。
【００１２】
ベース２は、ベース本体２１と、ベース本体２１を収容し得るベースカバー２２とを備えている。
【００１３】
ベース本体２１は、例えば一枚の板金素材からなり、平面視概略矩形状の底面部２１１と、底面部２１１の四辺を下方へ屈曲させた図示しない垂下片とを一体に有するものである。底面部２１１の後縁部側における所定箇所に他の部位より窪ませなる凹部２１２を設け、この凹部２１２に雌刃６を収容している（後述する図４（ａ）等参照）。本実施形態では、凹部２１２を所定距離離間させた２箇所に設け、各凹部２１２にそれぞれ雌刃６を収容している。各凹部２１２の中央部に、肉厚方向に貫通する貫通孔２１２ａを設けている。
【００１４】
雌刃６は、図２に示すように、例えば金属製のものであり、概略円盤状をなす雌刃本体６１と、雌刃本体６１の内周縁部６１ａに形成した刃部６２とを一体に有するものである。刃部６２は、概略鋸歯状をなし、後述する雄刃９に向かって立ち上がっている。この雌刃６を凹部２１２に適宜の手段で着脱不能に固定している。この固定状態において、雌刃本体６１の内周縁部６１ａと凹部２１２の貫通孔２１２ａとが連通している。また、雌刃本体６１を上方から被覆し得る位置にバックアップ部材７を設けている。このバックアップ部材７は、例えばウレタン素材からなり、中央部に雌刃本体６１の内周縁部６１ａの径よりも若干大きい径を有する丸孔７１を形成している。本実施形態では、バックアップ部材７の厚み寸法を刃部６２の立ち上がり寸法よりも若干大きく設定し、バックアップ部材７の下面側に塗布した両面テープ又は接着剤等によりバックアップ部材７を雌刃本体６１及びベース本体２１の底面部２１１に固着している。さらに、用紙Ｐをバックアップ部材７との間で挟み込んだ状態で押さえ得る紙押さえ部８を、雌刃６を取り付けた箇所の近傍に設けている。この紙押さえ部８は、例えば半透明の合成樹脂素材からなり、先端部に向かって漸次反り上げた形状をなし、バックアップ部材７の外径よりも若干小さい径を有する通し孔８１を形成しており、この通し孔８１と、バックアップ部材７の丸孔７１と、雌刃６の内周縁部６１ａと凹部２１２の貫通孔２１２ａとが連通するように、後端部をベース本体２１に着脱可能に固定している（後述する図４（ａ）等参照）。
【００１５】
ベースカバー２２は、例えば合成樹脂素材からなり、上方を開放した中空の概略直方体状をなし、ベース本体２１を収容した状態において、穿孔作業によって切り取られる用紙Ｐの切片、すなわち穿孔くずＰｂを収容する穿孔くず収容部として機能する。このベースカバー２２は、ベース本体２１と適宜の係合手段で係合しており、ベースカバー２２とベース本体２１との係合状態を解除してベースカバー２２をベース本体２１から取り外すことによりベースカバー２２の内部に溜まった穿孔くずＰｂを廃棄することができるようにしている。
【００１６】
操作部３は、例えば合成樹脂素材からなり、下方に開口してなる中空の概略直方体状をなし、本実施形態では上部における両側縁部が丸みを帯びる形状を採用している。
【００１７】
支持部４は、下端部をベース本体２１に固定するとともに、上端部を図示しないバネ等を用いて構成したリンク機構を介して操作部３の内部に取り付けたものである。本実施形態では、下端部の後半部をベース本体２１の後端部側に固定し、この固定した状態で下端部の前半部とベース本体２１の底面部２１１との間に用紙Ｐが挿入可能な用紙挿入スペースＰＳを形成している。支持部４の前面部には、次に説明する可動部５のスライド動作を案内し得る案内部４１を左右一対に形成している。
【００１８】
可動部５は、前記リンク機構を介して操作部３及び支持部４に関連付けて設けたものであり、支持部４の案内部４１に直接案内される可動部本体５１と、可動部本体５１の両端にそれぞれ設けられ雄刃９を保持するホルダー部５２とを備える。本実施形態では、可動部本体５１とホルダー部５２とを合成樹脂素材を用いて一体に形成している。
【００１９】
ホルダー部５２は、雄刃９を着脱可能に保持するものであり、下方に開放した概略円筒状をなすものである。このホルダー部５２に、外側方及び前方に連続して一部開放させてなる側方開口部５２１及び前方開口部５２２を形成し、これら側方開口部５２１及び前方開口部５２２を利用して雄刃９を取り付けている。
【００２０】
雄刃９は、図２に示すように、概略円柱状の雄刃本体９１と、雄刃本体９１の先端部（本実施例では下端部）に設けられ用紙Ｐに刺さり得る突起部９２と、雄刃本体９１の基端部（本実施例では上端部）側における略半部位を被覆するように取り付けられ前記ホルダー部５２に係合可能な係合保持部９３とを備えている。
【００２１】
雄刃本体９１は、例えば合成樹脂素材からなり、先端部における外径を先端に向かって漸次大きく設定した概略棒状をなしている。雄刃本体９１の最大外径寸法を、雌刃６の内周縁部６１ａの径寸法よりも小さく設定している。
【００２２】
突起部９２は、例えば概略棒状の金属素材からなり、先端部（本実施例では下端部）を尖らせ、この先端部が雄刃本体９１の先端部に表出するように雄刃本体９１に抜脱不能に取り付けている。
【００２３】
係合保持部９３は、平面視略小判状をなし内部に雄刃本体９１を収容し得る本体部９３１と、本体部９３１の上端部に設けた段付ピン部９３２と、本体部９３１の下端部に設けた略円盤状の鍔部９３３と、本体部９３１の円弧状をなす側面部から側方に突出し把持可能な把持部９３４とを一体に有するものである。
【００２４】
なお、本実施形態では、雄刃本体９１に、穿孔作業により用紙Ｐに形成される綴じ孔Ｐａの周縁部を保護する保護シートとして機能するいわゆるパッチＴを複数枚積層してなるパッチセットＴａを取替可能に取り付けてる。各パッチＴは、円盤状をなした半透明のシールであり、用紙Ｐに対向する面（本実施形態では下面側）に糊等の接着剤を塗布しており、このパッチＴを複数枚積層状に重合することにより、一のパッチセットＴａを形成している。各パッチＴの内径を、雄刃本体９１の外径よりも若干大きく設定している。このようなパッチセットＴａを、前記係合保持部９３を取り付ける前の雄刃本体９１に、その基端部（本実施例では上端部）側から挿入する。この場合、雄刃本体９１の先端部の外径を漸次大きく設定することにより、パッチセットＴａが雄刃本体９１の先端側から容易に抜け落ちないようにしている。次いでクッション材として機能する略円盤状のパッチ押さえ部Ｈを雄刃本体９１の基端部側から挿入し、係合保持部９３を雄刃本体９１の基端部側に取り付けることにより、雄刃９にパッチセットＴａをセットすることができる。
【００２５】
このような雄刃９を、可動部５のホルダー部５２に保持させるには、先ず、雄刃９の把持部９３４の突出方向を、ホルダー部５２の側方開口部５２１の開口方向と一致させるように把持し、側方開口部５２１から雄刃９をホルダー部５２の内部に挿入する。次いで、把持部９３４がホルダー部５２の前方開口部５２２に位置するように把持部９３４を把持しながら雄刃９を回動させる。これにより、係合保持部９３の段付ピン部９３２がホルダー部５２の内部に設けた引っ掛かり部５２ａ（図１参照）に係合し、雄刃９がホルダー部５２に安定した状態で保持される。この保持状態において、ホルダー部５２の下端部側に係合保持部９３の鍔部９３３が位置付けられるとともに、雌刃６の刃部６２の上方に雄刃本体９１が位置付けられる。
【００２６】
次に、このような構成を有する穿孔具１の使用方法及び作用を、図３及び図４に示す作用説明図を参照しながら説明する。なお、図３及び図４は、穿孔時における雄刃９の動作を中心に穿孔具１の穿孔動作を模式的に示すものである。
【００２７】
先ず、穿孔する用紙Ｐを穿孔具１の前方から前記用紙挿入スペースＰＳに挿入するとともに、紙押さえ部８を利用して用紙Ｐの所定部位（本実施形態では綴じ孔Ｐａ形成箇所近傍部位）を押さえる（図３（ａ）参照）。なお、支持体に形成される２つの綴じ孔Ｐａの中間位置である旨を表示する中間位置表示部を設け、この中間位置表示部を目安にして用紙Ｐをセットするようにしてもよい。次に操作部３を下方へ押す操作力を操作部３に付与すると、操作部３と共に可動部５が図示しないリンク機構を介して支持部４に対して下方にスライド移動し、所定距離下方にスライド移動した時点で、ホルダー部５２に保持された雄刃９の突起部９２が紙押さえ部８の通し孔８１を通過して用紙Ｐに刺さる（同図（ｂ）参照）。これにより、用紙Ｐに対する雄刃９の位置が位置決めされ、用紙Ｐと雄刃９との相対位置が不意にずれることを防止する。このように雄刃９の突起部９２が、雄刃９に対して用紙Ｐが位置ずれすることを防止する本発明の第１位置ずれ防止部として機能する。
【００２８】
次いでそのまま前記操作力を付与し続けると、雄刃本体９１の先端部(本実施例では下端部)が用紙Ｐのオモテ面に当接し、この用紙Ｐにおける当接部位及びその近傍部位が下方へ押し込まれ、バックアップ部材７が弾性変形してへこみ、雌刃６の刃部６２が雌刃本体６１よりも優先して用紙Ｐのウラ面に当接して食い込む（同図（ｃ）参照）。これにより、用紙Ｐに対する雌刃６の位置が位置決めされ、用紙Ｐと雌刃６との相対位置が不意にずれることを防止する。このように雌刃６の刃部６２が、雌刃６に対して用紙Ｐが位置ずれすることを防止する本発明の第２位置ずれ防止部として機能する。
【００２９】
さらに前記操作力を付与し続けることにより、雄刃本体９１が雌刃６の内周縁部６１ａに入り込み、用紙Ｐのうち雄刃本体９１の先端部に当接する部位及びその近傍部位が、下方へ押し込まれるとともに雌刃６の刃部６２によって切断され、この切断されてなる穿孔くずＰｂを突起部９２に刺したまま雄刃本体９１がベース本体２１の凹部２１２に形成した貫通孔２１２ａに入り込む（図４（ｄ）参照）。その結果、用紙Ｐに綴じ孔Ｐａが形成されるとともに、綴じ孔Ｐａの周縁部に、パッチセットＴａのうち最も下端に位置するパッチＴの下面が用紙Ｐに当接する。また、本実施形態では、雄刃本体９１を雌刃６の内周縁部６１ａに挿入した状態において、雄刃本体９１と内周縁部６１ａとの間にクリアランスが生じるように設定している。
【００３０】
引き続き前記操作力を付与し続けると、雄刃９がさらに下方へ沈み込む一方、用紙Ｐの綴じ孔Ｐａ周縁部に当接するパッチセットＴａ及びこのパッチセットＴａの上方に位置する前記パッチ押さえ部Ｈはそれ以上の下方への移動が規制され、雄刃９が所定距離下方へ移動した時点で、パッチ押さえ部Ｈと係合保持部９３の鍔部９３３とが当接し、この鍔部９３３及びパッチ押さえ部ＨによりパッチセットＴａがさらに下方へ押さえ込まれ、パッチセットＴａのうち最も下端に位置するパッチＴの下面が綴じ孔Ｐａの周縁部に圧接する（同図（ｅ）参照）。この際、綴じ孔Ｐａの周縁部はパッチＴとバックアップ部材７との間で圧接された状態となっている。
【００３１】
そして、前記操作力を停止することにより、前記リンク機構の作用（バネ等の弾性復帰力）により可動部５及び操作部３が元の位置に戻り、すなわち可動部５及び操作部３が上方にスライド移動し、これに伴って可動部５のホルダー部５２に保持された雄刃９も上方に移動し、経時的に、雄刃９の突起部９２に刺さった穿孔くずＰｂがベース２の凹部２１２に形成した貫通孔２１２ａの縁部に当たって下方に抜け落ちるとともに、綴じ孔Ｐａの周縁部にパッチセットＴａのうち最も下端に位置するパッチＴが貼着される（同図（ｆ）参照）。なお、穿孔くずＰｂは、前記穿孔くず収容部として機能するベースカバー２２の内部に収容される。最後に、用紙Ｐを用紙挿入スペースＰＳから取り外し、形成された綴じ孔Ｐａを利用して、図示しない適宜の綴じ具に綴込むことができる用紙Ｐとなる。またバックアップ部材７も弾性復帰する。
【００３２】
このように、本実施形態に係る穿孔具１は、雄刃９に、雄刃９に対して用紙Ｐが位置ずれすることを防止する第１位置ずれ防止部として機能する突起部９２を設けるととともに、雌刃６に、雌刃６に対して用紙Ｐが位置ずれすることを防止する第２位置ずれ防止部として機能する刃部６２を設けているため、雄刃本体９１を雌刃６の内周縁部６１ａに嵌入した状態において雄刃本体９１と雌刃６の内周縁部６１ａとの間にクリアランスが生じるように設定したものであっても、突起部９２及び刃部６２が用紙Ｐに刺さる又は食い込むことより、用紙Ｐが雄刃９及び雌刃６に対してそれぞれ位置ずれせず、穿孔時に用紙Ｐの一部（穿孔操作によって用紙Ｐに形成される綴じ孔Ｐａの周縁部）がクリアランスに不意に入り込むことを防止し、的確且つスムーズに穿孔することができる。また、本実施形態のように、雄刃９を取替可能に構成している場合、突起部９２の損傷やパッチセットＴａの詰替等により雄刃９を取り替える又は雄刃９の再取付の際に、当初の取付位置のずれをクリアランスにより吸収することができ、実用性に優れたものとなる。
【００３３】
特に、雄刃本体９１の先端部に設けられ且つ用紙Ｐに刺さり得る突起部９２、及び雌刃本体６１の内周縁部６１ａにその周方向に沿って形成した概略鋸歯状の刃部６２により、雄刃９及び雌刃６に対して用紙Ｐが位置ずれすることを防止しているため、極めて簡素な構造を採用しつつ、雄刃９及び雌刃６に対して用紙Ｐが位置ずれすることを確実に防止することができる。
【００３４】
特に、刃部６２が、雄刃９に向かって立ち上がっているため、刃部６２が雌刃本体６１よりも優先して用紙Ｐに当接して食い込み、より確実に用紙Ｐが雌刃６に対して位置ずれすることを防止することができる。
【００３５】
なお、本発明は、以上に詳述した実施形態に限られるものではない。
【００３６】
例えば、前記実施形態では、雄刃本体の先端部に設けた一の突起部により第１位置ずれ防止部を構成する態様を採用したが、例えば雄刃本体の先端部に設けた複数の突起部により第１ずれ防止部を構成する態様を採用してもよい。また、突起部が金属素材からなるものではなく、合成樹脂素材からなるものであっても構わない。さらには、突起部を雄刃本体と一体に形成したものであってもよい。また、第１位置ずれ防止部として、紙葉類に食い込み得る刃部を採用してもよい。
【００３７】
また、第２位置ずれ防止部として機能する鋸歯状の刃部を、雄刃に向かって起立させた形状とせず、径方向に突出させた形状としてよい。この場合、雌刃本体より優先して紙葉類に当接させることはできないが、このような刃部であっても、内周縁部内に雄刃が嵌入する際にこの刃部が紙葉類に食い込むため、用紙が雌刃に対して位置ずれすることを防止することができる。
【００３８】
また、雄刃及び雌刃を適宜増減して一穴用穿孔具あるは多穴用穿孔具としてもよい。
【００３９】
また、パッチを貼着するタイプではなく、穿孔専用の穿孔具としても勿論構わない。
【００４０】
その他、各部の具体的構成についても上記実施形態に限られるものではなく、本発明の趣旨を逸脱しない範囲で種々変形が可能である。
【図面の簡単な説明】
【００４１】
【図１】本発明の一実施形態に係る穿孔具の全体概略図。
【図２】同実施形態における雄刃及び雌刃の概略図。
【図３】作用説明図。
【図４】作用説明図。
【符号の説明】
【００４２】
１…穿孔具
６…雌刃
６１…第２位置ずれ防止部（雌刃本体）
６１ａ…内周縁部
６２…刃部
９…雄刃
９１…雄刃本体
９２…第１位置ずれ防止部（突起部）
Ｐ…紙葉類（用紙）
【図１】
2006326698.tif 000003
【図２】
2006326698.tif 000004
【図３】
2006326698.tif 000005
【図４】
2006326698.tif 000006